【手続補正書】
【提出日】平成27年3月9日(2015.3.9)
【手続補正１】
【補正対象書類名】明細書
【補正対象項目名】０００６
【補正方法】変更
【補正の内容】
【０００６】
本発明に係る画像処理装置は、印刷に使用する色材の量を削減するモードが指示された場合に、前記色材の削減率を第１の削減率として取得する取得手段と、印刷対象の画像データに含まれるオブジェクトの中から、色材の削減処理を行わないオブジェクトを少なくとも１つ選択する選択手段と、前記画像データに含まれるオブジェクトの印刷に使用する色材の量を前記第１の削減率で削減したときの色材の削減量を算出する算出手段と、前記選択されたオブジェクトに対しては色材の削減処理を行わずに、前記算出手段で算出された削減量が削減されるように、前記選択されたオブジェクト以外のオブジェクトに対して色材の削減処理を行う処理手段とを有することを特徴とする。
【手続補正２】
【補正対象書類名】特許請求の範囲
【補正対象項目名】全文
【補正方法】変更
【補正の内容】
【特許請求の範囲】
【請求項１】
印刷に使用する色材の量を削減するモードが指示された場合に、前記色材の削減率を第１の削減率として取得する取得手段と、
印刷対象の画像データに含まれるオブジェクトの中から、色材の削減処理を行わないオブジェクトを少なくとも１つ選択する選択手段と、
前記画像データに含まれるオブジェクトの印刷に使用する色材の量を前記第１の削減率で削減したときの色材の削減量を算出する算出手段と、
前記選択されたオブジェクトに対しては色材の削減処理を行わずに、前記算出手段で算出された削減量が削減されるように、前記選択されたオブジェクト以外のオブジェクトに対して色材の削減処理を行う処理手段とを有することを特徴とする画像処理装置。
【請求項２】
さらに、前記選択されたオブジェクトの印刷に使用する色材の量と、色材の削減処理の前の前記選択されたオブジェクト以外のオブジェクトの印刷に使用する色材の量とを算出する手段を有し、
前記処理手段は、前記算出する手段によって算出された色材の量と前記第１の削減率とに基づき、前記選択されたオブジェクト以外のオブジェクトに対して色材を削減する率を示す第２の削減率を算出し、前記第２の削減率で色材の削減処理を行うことを特徴とする請求項１に記載の画像処理装置。
【請求項３】
前記取得手段は、前記画像データに含まれるオブジェクトの種類ごとに複数の削減率を第１の削減率として取得し、
前記算出手段は、前記画像データに含まれる前記選択手段によって選択されたオブジェクトと同じ種類のオブジェクトの印刷に使用する色材の量を、前記第１の削減率で削減したときの色材の削減量を算出し、
前記処理手段は、前記選択されたオブジェクトに対しては色材の削減処理を行わずに、前記算出手段で算出された削減量が削減されるように、前記選択されたオブジェクトと同じ種類のオブジェクトのうち前記選択されたオブジェクト以外のオブジェクトに対して色材の削減処理を行うことを特徴とする請求項１に記載の画像処理装置。
【請求項４】
前記選択手段は、リストからオブジェクトを選択する手段、オブジェクトの種類でオブジェクトを選択する手段、キーワードでオブジェクトを選択する手段、及び前記画像データ内のエリアでオブジェクトを選択する手段のうち少なくとも１つを有することを特徴とする請求項１から３のいずれか１つに記載の画像処理装置。
【請求項５】
前記第２の削減率が、予め設定された印刷物の可視性の許容値よりも大きいか否かを判断する手段と、
前記第２の削減率が前記許容値よりも大きいと判断された場合に、前記許容値を超えていることを示す警告を表示する表示手段と
を備え、
前記処理手段は、前記警告が表示された場合、ユーザの指示に応じて、前記第２の削減率で色材の削減処理を行うか、前記許容値で色材の削減処理を行うかが選択され、該選択された削減率で色材の削減処理を行うことを特徴とする請求項２に記載の画像処理装置。
【請求項６】
前記表示手段は、前記警告と共に、色材の削減方法の選択を促す表示をすることを特徴とする請求項５に記載の画像処理装置。
【請求項７】
印刷に使用する色材の量を削減するモードが指示された場合に、前記色材の削減率を第１の削減率として取得する取得ステップと、
印刷対象の画像データに含まれるオブジェクトの中から、色材の削減処理を行わないオブジェクトを少なくとも１つ選択する選択ステップと、
前記画像データに含まれるオブジェクトの印刷に使用する色材の量を前記第１の削減率で削減したときの色材の削減量を算出する算出ステップと、
前記選択されたオブジェクトに対しては色材の削減処理を行わずに、前記算出ステップで算出された削減量が削減されるように、前記選択されたオブジェクト以外のオブジェクトに対して色材の削減処理を行う処理ステップとを有することを特徴とする画像処理方法。
【請求項８】
コンピュータを、
印刷に使用する色材の量を削減するモードが指示された場合に、前記色材の削減率を第１の削減率として取得する取得手段、
印刷対象の画像データに含まれるオブジェクトの中から、色材の削減処理を行わないオブジェクトを少なくとも１つ選択する選択手段、
前記画像データに含まれるオブジェクトの印刷に使用する色材の量を前記第１の削減率で削減したときの色材の削減量を算出する算出手段、
前記選択されたオブジェクトに対しては色材の削減処理を行わずに、前記算出手段で算出された削減量が削減されるように、前記選択されたオブジェクト以外のオブジェクトに対して色材の削減処理を行う処理手段
として機能させるためのプログラム。
【請求項９】
印刷対象の画像データに含まれるオブジェクトの中から、色材の削減処理を行わないオブジェクトを抽出する抽出手段と、
前記印刷対象の画像データの印刷に使用する色材が第１の削減率で削減されるように、前記抽出手段によって抽出されたオブジェクト以外のオブジェクトに対して前記第１の削減率よりも大きい第２の削減率を適用して色材の削減処理を行う処理手段とを有することを特徴とする画像処理装置。
【請求項１０】
さらに、前記第１の削減率に基づき、前記画像データの印刷に使用する色材の量を算出し、該算出された色材の量に基づき、前記第２の削減率を算出する算出手段を有することを特徴とする請求項９に記載の画像処理装置。
【請求項１１】
前記算出された色材の量と前記抽出手段によって抽出されたオブジェクトの印刷に使用する色材の量とに基づき、前記第２の削減率を算出することを特徴とする請求項１０に記載の画像処理装置。
【請求項１２】
前記処理手段において第２の削減率が適用されるオブジェクトは、前記抽出手段によって抽出されたオブジェクトと同じ属性のオブジェクトであることを特徴とする請求項９から１１のいずれか１つに記載の画像処理装置。
【請求項１３】
さらに、前記第２の削減率が許容値を超える場合、警告メッセージを表示させる表示手段を有することを特徴とする請求項９から１２のいずれか１つに記載の画像処理装置。
【請求項１４】
印刷対象の画像データに含まれるオブジェクトの中から、色材の削減処理を行わないオブジェクトを抽出する抽出ステップと、
前記印刷対象の画像データの印刷に使用する色材が第１の削減率で削減されるように、前記抽出ステップによって抽出されたオブジェクト以外のオブジェクトに対して前記第１の削減率よりも大きい第２の削減率を適用して色材の削減処理を行う処理ステップとを有することを特徴とする画像処理方法。
【請求項１５】
コンピュータを、
印刷対象の画像データに含まれるオブジェクトの中から、色材の削減処理を行わないオブジェクトを抽出する抽出手段、
前記印刷対象の画像データの印刷に使用する色材が第１の削減率で削減されるように、前記抽出手段によって抽出されたオブジェクト以外のオブジェクトに対して前記第１の削減率よりも大きい第２の削減率を適用して色材の削減処理を行う処理手段
として機能させるためのプログラム。